(57)【要約】【課題】テストソケットにおいて、サイズの異なるソーラーセルモジュールを、そのテスト端子Ｐａがソケット本体の載置面１１０ａに形成されたコンタクト端子１１０ｄに対向するよう位置決めすることを可能とする。【解決手段】テストの対象となる被測定モジュールを装着するためのテストソケット１００において、ソーラーセルモジュール（被測定モジュール）ＳａあるいはＳｂを載置する載置面１１０ａを有するソケット本体１１０と、該ソケット本体の載置面上でソーラーセルモジュールを、該ソーラーセルモジュールの特定の角部Ｃが該載置面に形成したモジュール当接部位１１０ｃに当接するよう２方向から付勢して位置決めする位置決め機構とを備えた。【選択図】図１
2012122774.tif 000002
【特許請求の範囲】
【請求項１】
テストの対象となる被測定モジュールを装着するためのテストソケットであって、
該被測定モジュールを載置する載置面を有するソケット本体と、
該ソケット本体の載置面上で該被測定モジュールを、該被測定モジュールの特定の角部が該載置面に形成したモジュール当接部位に当接するよう２方向から付勢して位置決めする位置決め機構とを備えたテストソケット。
【請求項２】
請求項１に記載のテストソケットにおいて、
前記位置決め機構は、
前記ソケット本体の載置面に対して垂直な方向の力を受けて、前記被測定モジュールの特定の角部を前記当接部位に当接させる付勢力を発生するよう構成されている、テストソケット。
【請求項３】
請求項１に記載のテストソケットにおいて、
前記被測定モジュールは、平面形状が長方形形状であるソーラーセルモジュールであり、
前記位置決め機構は、
前記ソケット本体の載置面上に第１の方向に沿って移動可能に設けられ、該ソーラーセルモジュールを前記モジュール当接部位に向けて押圧する第１の押圧ブロックと、
前記ソケット本体の載置面上に、該第１の方向と交差する第２の方向に沿って移動可能に設けられ、該ソーラーセルモジュールを前記モジュール当接部位に向けて押圧する第２の押圧ブロックと、
該第１の押圧ブロックおよび該第２の押圧ブロックを前記モジュール当接部位に向けて付勢する付勢手段とを有する、テストソケット。
【請求項４】
請求項３に記載のテストソケットにおいて、
前記ソケット本体は、
その表面に前記ソーラーセルモジュールが収容されるよう形成された平面長方形形状の凹状部を有し、
該凹状部の底面を前記載置面とし、該凹状部の１つの角部を前記モジュール当接部位とする構造となっている、テストソケット。
【請求項５】
請求項１に記載のテストソケットにおいて、
前記被測定モジュールは、前記特定の角部の、前記載置面と対向する部分に、前記ソケット本体の載置面上に設けられたコンタクト端子と接触するよう形成されたテスト端子を有する、テストソケット。
【請求項６】
請求項５に記載のテストソケットにおいて、
前記位置決め機構は、
前記ソケット本体の載置面上に載置された被測定モジュールを、そのテスト端子と該ソケット本体のコンタクト端子とが電気的に接続されるよう該載置面側に押圧するモジュール押圧手段を有する、テストソケット。
【請求項７】
請求項６に記載のテストソケットにおいて、
前記モジュール押圧手段は、
前記被測定モジュールの特定の角部、および該角部から２方向に延びる側辺部の上面に当接する当接部を有し、
該当接部を、該被測定モジュールが前記ソケット本体の載置面上に固定されるよう該被測定モジュールに対して押圧するよう構成されている、テストソケット。
【請求項８】
請求項３に記載のテストソケットにおいて、
前記ソケット本体に対して装着され、該ソケット本体の載置面上に載置されたソーラーセルモジュールを保持するソケット蓋部材を備え、
前記付勢手段は、
前記第１の押圧ブロックを押圧する前記第１の方向に沿った第１の付勢力を発生する第１のばね装置と、
前記第２の押圧ブロックを押圧する前記第２の方向に沿った第２の付勢力を発生する第２のばね装置とを有し、
該第１および該第２のばね装置は、該ソケット蓋部材が該ソケット本体に装着されたとき、該第１および第２の付勢力を発生して、該ソーラーセルモジュールを、その特定の角部が前記モジュール当接部位に当接するよう位置決めする、テストソケット。
【請求項９】
請求項３に記載のテストソケットにおいて、
前記ソケット本体に対して装着され、該ソケット本体の載置面上に載置されたソーラーセルモジュールを保持するソケット蓋部材を備え、
前記付勢手段は、
前記第１の押圧ブロックを押圧する前記第１の方向に沿った第１の付勢力として磁力を発生する第１の磁力発生機構と、
前記第２の押圧ブロックを押圧する前記第２の方向に沿った第２の付勢力として磁力を発生する第２の磁力発生機構とを有し、
該第１および該第２の磁力発生機構は、該ソケット蓋部材が該ソケット本体に装着されたとき、該第１および第２の付勢力を発生して、該ソーラーセルモジュールを、その特定の角部が前記モジュール当接部位に当接するよう位置決めする、テストソケット。
【請求項１０】
請求項３に記載のテストソケットにおいて、
前記ソケット本体に対して装着され、該ソケット本体の載置面上に載置されたソーラーセルモジュールを保持するソケット蓋部材を備え、
前記付勢手段は、
前記第１の押圧ブロックを押圧する前記第１の方向に沿った第１の付勢力を空気圧により発生する第１の空気圧発生機構と、
前記第２の押圧ブロックを押圧する前記第２の方向に沿った第２の付勢力を空気圧により発生する第２の空気圧発生機構とを有し、
該第１および該第２の空気圧発生機構は、該ソケット蓋部材が該ソケット本体に装着されたとき、該第１および第２の付勢力を空気圧により発生して、該ソーラーセルモジュールを、その特定の角部が前記モジュール当接部位に当接するよう位置決めする、テストソケット。
【請求項１１】
請求項１〜請求項１０のいずれかに記載のテストソケットにおいて、
前記被測定モジュールは、機種に応じてその平面形状が異なるものである、テストソケット。
【発明の詳細な説明】
【技術分野】
【０００１】
本発明は、テストソケットに関し、特に、半導体モジュールのテストを行うためのテストソケットにおいて、機種に対応してサイズが異なる半導体モジュールを装着可能とする構造に関するものである。
【背景技術】
【０００２】
近年、ソーラーセルモジュールを搭載した携帯電話が普及し、小型の機器にも搭載できるようソーラーセルモジュールの小型化や低価格化が要求されている。それに伴い、発電効率の高効率化が進み、ハーフサイズのソーラーセルモジュールも普及している。
【０００３】
ソーラーセルモジュールの製造工程では、従来、不良品をスクリーニングするために、種々のテストを実施している。ソーラーセルモジュールのテストは、通常、太陽光と同等の光を照射して、電気的な試験や特性評価等を行うため、テスタに設けられたテストソケット内に、検査対象のソーラーセルモジュールを設置して行う。
【０００４】
以下、従来のテストソケットについて具体的に説明する。
【０００５】
図７は、従来のソーラーセルモジュールのテストソケットを説明する斜視図であり、図７（ａ）は、ソケット本体（台座部）とソケット蓋部材（蓋部）とを分離した状態を示し、図７（ｂ）は、ソケット本体にソケット蓋部材を装着した状態を示している。
【０００６】
テストソケット２００は、図７に示すように、台座部２１０と蓋部２５０とを有し、台座部２１０には、ソーラーセルモジュールＳを収容するソーラーセルモジュールポケット部２３０が取り付けられている。台座部２１０にはフレーム部材２２０が固着されており、このフレーム部材２２０により、ソーラーセルモジュールポケット部２３０を取り付けるための、該ポケット部２３０の形状に応じた第１凹部２２０ａが形成されている。
【０００７】
また、ソーラーセルモジュールポケット部２３０には、ソーラーセルモジュールＳの形状に応じた第２凹部２３０ａが形成されている。
【０００８】
また、台座部２１０にはコンタクト部が設けられており、このコンタクト部は、ソーラーセルモジュールポケット部２３０に形成された第２凹部２３０ａの底面に位置するよう配置された、ソーラーセルモジュールの各端子と電気的に接続するためのコンタクトピン（図示せず）を複数有している。
【０００９】
一方、蓋部２５０には、第２凹部２３０ａに対応する位置に、ソーラーセルモジュールの、光を照射する部分の形状に応じた開口部２５０ａが形成されている。
【００１０】
このような構成のソケット２００では、ソーラーセルモジュールポケット部２３０の第２凹部２３０ａにソーラーセルモジュールＳを収容し、ソーラーセルモジュールポケット部２３０を台座部２１０に取り付け、さらに蓋部２５０によりこのポケット部２３０を固定することで、台座部２１０にソーラーセルモジュールＳを装着する。
【００１１】
このような状態で、蓋部２５０の開口部７を介してソーラーセルモジュールＳにテスト光が照射され、モジュールのテストが行われる。
【００１２】
例えば、ソーラーセルモジュールの製造工程においては、テスタに接続されたソケットにソーラーセルモジュールをセットし、テスト装置とソーラーセルモジュールを接続し、良品、不良品の選別、および、性能調査等を実施する。
【００１３】
ところで、モジュールポケット部２３０は、機種対応部品であり、機種の異なるソーラーセルモジュールのテストを行う場合は、テスト対象となる機種に応じたものに交換するようになっている。
【００１４】
これは以下の理由による。
【００１５】
つまり、特定機種のソーラーセルモジュールに対応したテストソケットでは、形状の違う他種のソーラーセルモジュールのテストを実施する場合、テストソケットとして、他種のソーラーセルモジュールに対応したテストソケットを用意する必要があり、テストソケットは、ソーラーセルモジュールの形状毎に作製する必要が生ずるが、上記のように、モジュールポケット部２３０を機種対応のものに取り替える構成としたソケットでは、ソケットは１種類で、機種対応部品としてのモジュールポケット部を複数種類用意すればよい。
【００１６】
また、テストソケットにおける大きさの異なる被テストデバイスの位置決めに関する技術としては、例えば、特許文献１に開示のものがある。
【００１７】
この文献には、被テストデバイスを、収容状態における被テストデバイスの天面に平行な方向（第１方向）に位置決め及び固定する位置決め手段として、被テストデバイスの角部の内、所定の対角線上の２つの角部を夫々中心に向けて、１方向から付勢する可動チャックを備えたテストソケットが開示されている。
【先行技術文献】
【特許文献】
【００１８】
【特許文献１】特開２００９−８９３７３号公報
【発明の概要】
【発明が解決しようとする課題】
【００１９】
以上のように、従来のソケットでは、形状の違う他種のソーラーセルモジュールのテストを実施する場合、テストソケットとして、他種のソーラーセルモジュールに対応したテストソケットを用意する必要があるという問題を回避するために、ソケットを構成する、機種対応部品としてのモジュールポケット部を複数種類用いるようにしているが、このような構成のソケットでも、機種対応部品としてのモジュールポケットが複数必要となる問題がある。
【００２０】
また、特許文献１に記載の、被テストデバイスの形状毎にソケットを作成することを回避する手段では、被テストデバイスを１方向から付勢しているため、平面形状が正方形以外の被テストデバイスである場合は、被テストデバイスを正しく位置きめすることができず、被テストデバイスの形状が正方形に限定されてしまうという問題がある。
【００２１】
本発明は、上記のような問題点を解決するためになされたものであり、平面形状が正方形以外の形状を有する異なるサイズのソーラーセルモジュールをテスト可能となり、これにより被テストデバイスの種類毎に対応した形状のソケットあるいは該ソケットの構成部品を準備する必要がなく、形状に応じた新規のソケットなどを作製を回避することができるテストソケットを得ることを目的とする。
【課題を解決するための手段】
【００２２】
本発明に係るテストソケットは、テストの対象となる被測定モジュールを装着するためのテストソケットであって、該被測定モジュールを載置する載置面を有するソケット本体と、該ソケット本体の載置面上で該被測定モジュールを、該被測定モジュールの特定の角部が該載置面に形成したモジュール当接部位に当接するよう２方向から付勢して位置決めする位置決め機構とを備えたものであり、そのことにより上記目的が達成される。
【００２３】
本発明は、上記テストソケットにおいて、前記位置決め機構は、前記ソケット本体の載置面に対して垂直な方向の力を受けて、前記被測定モジュールの特定の角部を前記当接部位に当接させる付勢力を発生するよう構成されていることが好ましい。
【００２４】
本発明は、上記テストソケットにおいて、前記被測定モジュールは、平面形状が長方形形状であるソーラーセルモジュールであり、前記位置決め機構は、前記ソケット本体の載置面上に第１の方向に沿って移動可能に設けられ、該ソーラーセルモジュールを前記モジュール当接部位に向けて押圧する第１の押圧ブロックと、前記ソケット本体の載置面上に、該第１の方向と交差する第２の方向に沿って移動可能に設けられ、該ソーラーセルモジュールを前記モジュール当接部位に向けて押圧する第２の押圧ブロックと、該第１の押圧ブロックおよび該第２の押圧ブロックを前記モジュール当接部位に向けて付勢する付勢手段とを有することが好ましい。
【００２５】
本発明は、上記テストソケットにおいて、前記ソケット本体は、その表面に前記ソーラーセルモジュールが収容されるよう形成された平面長方形形状の凹状部を有し、該凹状部の底面を前記載置面とし、該凹状部の１つの角部を前記モジュール当接部位とする構造となっていることが好ましい。
【００２６】
本発明は、上記テストソケットにおいて、前記被測定モジュールは、前記特定の角部の、前記載置面と対向する部分に、前記ソケット本体の載置面上に設けられたコンタクト端子と接触するよう形成されたテスト端子を有することが好ましい。
【００２７】
本発明は、上記テストソケットにおいて、前記位置決め機構は、前記ソケット本体の載置面上に載置された被測定モジュールを、そのテスト端子と該ソケット本体のコンタクト端子とが電気的に接続されるよう該載置面側に押圧するモジュール押圧手段を有することが好ましい。
【００２８】
本発明は、上記テストソケットにおいて、前記モジュール押圧手段は、前記被測定モジュールの特定の角部、および該角部から２方向に延びる側辺部の上面に当接する当接部材を有し、該当接部材を、該被測定モジュールが前記ソケット本体の載置面上に固定されるよう該被測定モジュールに対して押圧するよう構成されていることが好ましい。
【００２９】
本発明は、上記テストソケットにおいて、前記ソケット本体に対して装着され、該ソケット本体の載置面上に載置されたソーラーセルモジュールを保持するソケット蓋部材を備え、前記付勢手段は、前記第１の押圧ブロックを押圧する前記第１の方向に沿った第１の付勢力を発生する第１のばね装置と、前記第２の押圧ブロックを押圧する前記第２の方向に沿った第２の付勢力を発生する第２のばね装置とを有し、該第１および該第２のばね装置は、該ソケット蓋部材が該ソケット本体に装着されたとき、該第１および第２の付勢力を発生して、該ソーラーセルモジュールを、その特定の角部が前記モジュール当接部位に当接するよう位置決めすることが好ましい。
【００３０】
本発明は、上記テストソケットにおいて、前記ソケット本体に対して装着され、該ソケット本体の載置面上に載置されたソーラーセルモジュールを保持するソケット蓋部材を備え、前記付勢手段は、前記第１の押圧ブロックを押圧する前記第１の方向に沿った第１の付勢力として磁力を発生する第１の磁力発生機構と、前記第２の押圧ブロックを押圧する前記第２の方向に沿った第２の付勢力として磁力を発生する第２の磁力発生機構とを有し、該第１および該第２の磁力発生機構は、該ソケット蓋部材が該ソケット本体に装着されたとき、該第１および第２の付勢力を発生して、該ソーラーセルモジュールを、その特定の角部が前記モジュール当接部位に当接するよう位置決めすることが好ましい。
【００３１】
本発明は、上記テストソケットにおいて、前記ソケット本体に対して装着され、該ソケット本体の載置面上に載置されたソーラーセルモジュールを保持するソケット蓋部材を備え、前記付勢手段は、前記第１の押圧ブロックを押圧する前記第１の方向に沿った第１の付勢力を空気圧により発生する第１の空気圧発生機構と、前記第２の押圧ブロックを押圧する前記第２の方向に沿った第２の付勢力を空気圧により発生する第２の空気圧発生機構とを有し、該第１および該第２の空気圧発生機構は、該ソケット蓋部材が該ソケット本体に装着されたとき、該第１および第２の付勢力を空気圧により発生して、該ソーラーセルモジュールを、その特定の角部が前記モジュール当接部位に当接するよう位置決めすることが好ましい。
【００３２】
本発明は、上記テストソケットにおいて、前記被測定モジュールは、機種に応じてその平面形状が異なるものであることが好ましい。
【００３３】
次に作用について説明する。
【００３４】
本発明においては、テストの対象となる被測定モジュールを装着するためのテストソケットにおいて、ソーラーセルモジュール（被測定モジュール）を載置する載置面を有するソケット本体と、該ソケット本体の載置面上でソーラーセルモジュールを、該ソーラーセルモジュールの特定の角部Ｃが該載置面に形成したモジュール当接部位に当接するよう２方向から付勢して位置決めする位置決め機構とを備えたので、サイズの異なるソーラーセルモジュールを、そのテスト端子Ｐａがソケット本体の載置面に形成されたコンタクト端子に対向するよう位置決めすることが可能となる。
【００３５】
また、本発明においては、付勢手段を磁石により構成しているので、付勢手段の構成を簡略化することが可能となる。
【００３６】
また、本発明においては、付勢手段を、押圧ブロックを押圧する付勢力を空気圧により発生するよう構成しているので、ソーラーセルモジュールを位置決めするときの押圧力を簡単に調整することが可能となり、ソーラーセルモジュールの強度を考慮してその位置決めを行うことが可能となる。
【発明の効果】
【００３７】
本発明によれば、形状、大きさの異なるソーラーセルモジュールのテストソケットを一つのソケットでまかなうことが可能となり、ソケットの設計、作製時間、作製コストを削減することができる効果がある。
【図面の簡単な説明】
【００３８】
【図１】図１は、本発明の実施形態１によるテストソケットを模式的に説明する平面図であり、図１（ａ）は、このテストソケットにサイズの大きい被測定モジュールを装着した状態、図１（ｂ）は、このテストソケットにサイズの小さい被測定モジュールを装着した状態を示している。
【図２】図２は、本発明の実施形態１によるテストソケットの台座部（ソケット本体）を模式的に説明する斜視図であり、図２（ａ）は、このソケット本体にサイズの大きい被測定モジュールを装着した状態、図２（ｂ）は、このソケット本体にサイズの小さい被測定モジュールを装着した状態を示している。
【図３】図３は、本発明の実施形態１によるテストソケット（図３（ａ））および該テストソケットに装着する被測定モジュールの裏面側の構造（図３（ｂ））を示す平面図である。
【図４】図４は、本発明の実施形態１によるテストソケットを模式的に説明する図であり、このテストソケットにおける位置決め機構の、ソケット蓋部材の装着前の状態（図４（ａ）および（ｃ））、該位置きめ機構のソケット蓋部材の装着後の状態（図４（ｂ）および（ｄ））を示している。
【図５】図５は、本発明の実施形態２によるテストソケットを模式的に説明する図であり、このテストソケットにおける位置決め機構の、ソケット蓋部材の装着前の状態（図５（ａ））、該位置きめ機構の、ソケット蓋部材の装着後の状態（図５（ｂ））を示している。
【図６】図６は、本発明の実施形態３によるテストソケットを模式的に説明する図であり、このテストソケットにおける位置決め機構の、ソケット蓋部材の装着前の状態（図６（ａ））、該位置きめ機構の、ソケット蓋部材の装着後の状態（図６（ｂ））を示している。
【図７】図７は、従来のソーラーセルモジュールのテストソケットを説明する斜視図であり、図７（ａ）は、ソケット本体（台座部）とソケット蓋部材（蓋部）とを分離した状態を示し、図７（ｂ）は、ソケット本体にソケット蓋部材を装着した状態を示している。
【発明を実施するための形態】
【００３９】
以下、本発明の実施形態について図面を参照しながら説明する。
【００４０】
（実施形態１）
図１は、本発明の実施形態１によるテストソケットを模式的に説明する平面図であり、図１（ａ）は、このテストソケットにサイズの大きい被測定モジュールを装着した状態、図１（ｂ）は、このテストソケットにサイズの小さい被測定モジュールを装着した状態を示している。また、図２は、上記テストソケットの台座部（ソケット本体）を模式的に説明する斜視図であり、図２（ａ）は、このソケット本体にサイズの大きい被測定モジュールを装着した状態、図２（ｂ）は、このソケット本体にサイズの小さい被測定モジュールを装着した状態を示している。図３は、本発明の実施形態１によるテストソケット（図３（ａ））および該テストソケットに装着する被測定モジュールの裏面側の構造（図３（ｂ））を示す平面図である。
【００４１】
この実施形態１のテストソケット１００は、テストの対象となる被測定モジュールを装着するためのテストソケットである。ここで、被測定モジュールは、平面長方形形状を有し、機種に応じてその大きさが異なる二種類のソーラーセルモジュール、つまりサイズの大きい平面長方形形状のソーラーセルモジュールＳａと、サイズの小さい平面長方形形状のソーラーセルモジュールＳｂとを例に挙げている。
【００４２】
このテストソケット１００は、該被測定モジュールを載置する載置面１１０ａを有するソケット本体（台座部）１１０と、該ソケット本体１１０の載置面１１０ａ上で該ソーラーセルモジュールＳａ（Ｓｂ）を、該ソーラーセルモジュールの特定の角部Ｃが該載置面に形成したモジュール当接部位１１０ｃに当接するよう２方向から付勢して位置決めする位置決め機構とを備えている。
【００４３】
ここで、上記ソケット本体１１０は、その表面にソーラーセルモジュールＳａ（Ｓｂ）が収容されるよう形成された概略平面長方形形状の凹状部１１０ｂを有し、該凹状部の底面を上記載置面１１０ａとし、該凹状部の１つの角部を前記モジュール当接部位１１０ｃとする構造となっている。
【００４４】
上記ソーラーセルモジュールＳａ（Ｓｂ）は、図３に示すように、上記特定の角部Ｓａｃの、ソケット本体１１０の載置面１１０ａと対向する部分に、ソケット本体１１０の載置面１１０ａ上に設けられたコンタクト端子１１０ｄと接触するよう形成されたテスト端子Ｐａを有している。
【００４５】
このテスト端子Ｐａは、平面長方形形状の１つの頂点（Ａ点）を基準としてその近傍部分に配置されている。このようにテスト端子Ｐａを配置することで、ソーラーセルモジュール自身のサイズがその機種によって異なる場合でも、この頂点（Ａ点）に対するテスト端子Ｐａの位置は変化することはなく、ソーラーセルモジュール自身のサイズの違いによる影響を受けずに、ソケット本体１１０のコンタクト端子１１０ｄとの接続が可能となる。
【００４６】
また、テスト端子Ｐａの平面形状として、ここでは三角形を示しているが、丸型、角型等、コンタクト端子１００ｄの接続が可能となる形状であればよい。
【００４７】
また、上記テストソケット１００は、上記ソケット本体１１０に対して装着され、該ソケット本体１１０の載置面１１０ａ上に載置されたソーラーセルモジュールＳａ（Ｓｂ）を保持するソケット蓋部材１５０を備えている。なお、このソケット蓋部材１５０は、ソーラーセルモジュールにテスト光を照射するための開口１５０ｅを有している。
【００４８】
このソケット蓋部材１５０は、上記位置決め機構を構成するものであり、実質的には、ソケット本体１１０の載置面１１０ａ上に載置されたソーラーセルモジュールＳａ（Ｓｂ）を、そのテスト端子Ｐａと該ソケット本体のコンタクト端子１１０ｄとが電気的に接続されるよう該載置面側に押圧するモジュール押圧手段となっている。
【００４９】
このソケット蓋部材（モジュール押圧手段）１５０は、ソーラーセルモジュールの特定の角部Ｃ、および該角部Ｃから２方向に延びる側辺部の上面に当接する当接部１５１ａ、１５１ｂおよび１５１ｃを有し、該当接部を、該被測定モジュールが前記ソケット本体の載置面上に固定されるよう該被測定モジュールに対して押圧するよう構成されている、
上記位置決め機構は、ソケット本体１１０の載置面１１０ａに対して垂直な方向の力を受けて、ソーラーセルモジュールの特定の角部Ｃをソケット本体１１０のモジュール当接部位１１０ｃに当接させる付勢力を発生するよう構成されている。
【００５０】
つまり、この位置決め機構は、ソケット本体１１０の載置面１１０ａ上に第１の方向Ｘに沿って移動可能に設けられ、該ソーラーセルモジュールＳａ（Ｓｂ）をモジュール当接部位１１０ｃに向けて押圧する第１の押圧ブロック１３０と、該ソケット本体１１０の載置面１１０ａ上に、該第１の方向Ｘと直交する第２の方向Ｙに沿って移動可能に設けられ、該ソーラーセルモジュールＳａ（Ｓｂ）をモジュール当接部位１１０ｃに向けて押圧する第２の押圧ブロック１４０と、該第１の押圧ブロックおよび該第２の押圧ブロックを前記モジュール当接部位に向けて付勢する付勢手段とを有している。
【００５１】
ここで、押圧ブロック１３０は、長孔１３１と、該長孔１３１に係合する固定ピン１３２とを有し、固定ピン１３２が押圧ブロック１３０の移動をガイドするようになっている。また、押圧ブロック１４０は、長孔１４１と、該長孔１４１に係合する固定ピン１４２とを有し、固定ピン１４２が押圧ブロック１４０の移動をガイドするようになっている。
【００５２】
ここで、上記付勢手段は、第１の押圧ブロック１３０を押圧する第１の方向Ｘに沿った第１の付勢力を発生する第１のばね装置１６０と、第２の押圧ブロック１４０を押圧する第２の方向に沿った第２の付勢力を発生する第２のばね装置１７０とを有している。
【００５３】
この第１および該第２のばね装置１６０および１７０は、ソーラーセルモジュールがソケット本体１１０の載置面上に載置した状態で、ソケット蓋部材１５０がソケット本体１１０に装着されたとき、該第１および第２の付勢力を発生して、該ソーラーセルモジュールを、その特定の角部Ｃがソケット本体１１０のモジュール当接部位１００ｃに当接するよう位置決めする構成となっている。
【００５４】
第１のばね装置１６０は、図４（ｃ）および（ｄ）に示すように、一端が可動支点１６２に支持された一対のばね片１６４および１６５と、該可動支持点１６２を載置面と平行な方向にスライド可能に保持するばね保持具１６１と、該一対のばね片１６４および１６５を両者のなす角度が狭まる方向に付勢する中間ばね片１６６と、該可動支点１６２をばね支持具１６１の固定ピン１６３側に付勢する付勢ばね１６７とを有し、パンタグラフ式のバネ構造となっている。
【００５５】
ここで、ばね保持具１６１は、ソケット蓋部材１５０を装着したとき、ソケット本体側に近づくよう移動し、これにより一対のばね片１６４および１６５の下端が載置面１１０ａに当接して、これらのばね片のなす角度が開き、一方のばね片１６４の先端が押圧ブロック１３０の端部を押圧することとなる。また、他方のばね片１６５の先端はソケット本体１１０の凹状部側壁面に当接し、さらに、変形することで、可動支点１６２の移動を吸収する。
【００５６】
なお、第２のばね装置１７０も第１のばね装置１６０と同一の構成となっている。また、図１および図２では、第１および第２のばね装置１６０および１７０は、ソケット本体１１０の外側に模式的に図示しているが、これらのばね装置１６０および１７０は、図４に示すように、ソケット本体内に設けられている。
【００５７】
次に動作について説明する。
【００５８】
このような構成のテストソケット１００では、図３（ａ）に示すように、ソケット蓋部材１５０を取り外した状態で、ソケット本体１１０の載置面１１０ａにソーラーセルモジュールＳａを載置する（図２（ａ）、図４（ａ））。この状態では、ばね装置１６０および１７０は、図４（ｃ）に示すように、押圧ブロック１３０を押圧していない状態である。つまり、ばね保持具１６１は、初期位置にあり、ばね片１６４および１６５による押圧力を発生していない。
【００５９】
なお、押圧ブロック１３０および１４０は、ばね装置からの押圧力を受けていない状態では、ばね装置１６０および１７０による押圧力より小さい付勢力で、初期位置に位置するよう付勢されている。
【００６０】
そして、さらにソケット蓋部材１５０をソケット本体１１０に装着する（図１（ａ）、図４（ｂ））。
【００６１】
このとき、ばね保持具１６１は、図４（ｄ）に示すように、ソケット蓋部材１５０によりソケット本体側に移動し、ばね片１６４および１６５による押圧力を発生する。これにより、押圧ブロック１３０は、載置面上に載置されているソーラーセルモジュールＳａをモジュール当接部位に向けて押圧する。また、押圧ブロック１４０も、載置面上に載置されているソーラーセルモジュールＳａをモジュール当接部位に向けて押圧する。これにより、ソーラーセルモジュールＳａは、そのテスト端子Ｐａが、ソケット本体１１０のコンタクト端子１１０ｄ上に位置するよう位置決めされる。また、このとき、ソケット蓋部材１５０の当接部１５０ｄ（図１では、１５１ａ、１５１ｂ、１５１ｃ）は、ソーラーセルモジュールＳａの頂点Ａから２方向に伸びる側辺部の上面を押さえつけることとなり、テスト端子Ｐａとソケット本体１１０のコンタクト端子１１０との電気的な接続がなされる。
【００６２】
これによりソーラーセルモジュールＳａは、テストソケット１００を介してテスト装置（図示せず）と電気的に接続されることとなり、そのテストが可能となる。
【００６３】
また、上記ソーラーセルモジュールＳａとは、機種が異なりサイズが小さいソーラーセルモジュールＳｂを上記テストソケット１００に装着する場合も、上記サイズの大きいソーラーセルモジュールＳａを装着する場合と同様に行うことができる。
【００６４】
つまり、図３（ａ）に示すように、ソケット蓋部材１５０を取り外した状態で、ソケット本体１１０の載置面１１０ａにソーラーセルモジュールＳｂを載置し（図２（ａ）、図４（ａ））、その後、ソケット蓋部材１５０をソケット本体１１０に装着する（図１（ａ）、図４（ｂ））。
【００６５】
このとき、ばね保持具１６１は、図４（ｄ）に示すように、ソケット蓋部材１５０によりソケット本体側に移動し、ばね片１６４および１６５による押圧力を発生する。これにより、押圧ブロック１３０は、載置面上に載置されているソーラーセルモジュールＳｂをモジュール当接部位に向けて押圧する。また、押圧ブロック１４０も、載置面上に載置されているソーラーセルモジュールＳｂをモジュール当接部位１１０ｃに向けて押圧する。これにより、ソーラーセルモジュールＳｂは、そのテスト端子Ｐａが、ソケット本体１１０のコンタクト端子１１０ｄ上に位置するよう位置決めされる。また、このとき、ソケット蓋部材１５０の当接部１５０ｄは、ソーラーセルモジュールＳａの頂点Ａから２方向に伸びる側辺部の上面を押さえつけることとなり、テスト端子Ｐａとソケット本体１１０のコンタクト端子１１０との電気的な接続がなされる。
【００６６】
これによりソーラーセルモジュールＳｂは、テストソケット１００を介してテスト装置（図示せず）と電気的に接続されることとなり、そのテストが可能となる。
【００６７】
このように本実施形態１では、テストの対象となる被測定モジュールを装着するためのテストソケット１００において、ソーラーセルモジュール（被測定モジュール）ＳａあるいはＳｂを載置する載置面１１０ａを有するソケット本体１１０と、該ソケット本体の載置面上でソーラーセルモジュールを、該ソーラーセルモジュールの特定の角部Ｃが該載置面に形成したモジュール当接部位１１０ｃに当接するよう２方向から付勢して位置決めする位置決め機構とを備えたので、サイズの異なるソーラーセルモジュールを、そのテスト端子Ｐａがソケット本体の載置面１１０ａに形成されたコンタクト端子１１０ｄに対向するよう位置決めすることが可能となる。
【００６８】
（実施形態２）
図５は、本発明の実施形態２によるテストソケットを模式的に説明する図であり、このテストソケットにおける位置決め機構の、ソケット蓋部材の装着前の状態（図５（ａ））、該位置きめ機構の、ソケット蓋部材の装着後の状態（図５（ｂ））を示している。
【００６９】
この実施形態２のテストソケット１００ａは、上記実施形態１のテストソケット１００とは、実施形態１の位置決め機構における付勢手段が異なっている。
【００７０】
つまり、この実施形態２のテストソケットでは、図１に示す押圧ブロック１３０および１４０をモジュール当接部位Ｃに向けて付勢する付勢手段は、第１の押圧ブロック１３０を押圧する第１の方向Ｘに沿った第１の付勢力として磁力を発生する第１の磁力発生機構１６０ａと、第２の押圧ブロック１４０を押圧する第２の方向Ｙに沿った第２の付勢力として磁力を発生する第２の磁力発生機構（図示せず）とを有している。
【００７１】
ここで、該第１および該第２の磁力発生機構は、該ソケット蓋部材が該ソケット本体に装着されたとき、該第１および第２の付勢力を発生して、該ソーラーセルモジュールを、その特定の角部が前記モジュール当接部位に当接するよう位置決めするよう構成されている。
【００７２】
具体的には、上記押圧ブロック１３０に取付られた磁石１６３と、ソケット本体の載置面上に取り付けられ、該可動磁石１６３の、ソケット本体のモジュール当接部位１１０ｃの反対側への移動を規制する係止片１６４ａと、該ソケット本体の、該可動磁石１６３と対向する側壁面に組み込まれた固定磁石１６２ａと、ソケット蓋部材１５０の下端部に取り付けられ、該ソケット蓋部材１５０をソケット本体に装着したとき、該可動磁石１６３ａと固定磁石１６２ａとの間に挿入される中間磁石１６１ａとを有している。
【００７３】
ここで、該可動磁石１６３ａと固定磁石１６２ａとは引き合うよう極性が設定されており、また、該可動磁石１６３ａと中間磁石１６１ａとは反発するよう極性が設定されている。例えば、可動磁石１６３ａおよび中間磁石１６１ａを、磁力線を発生するＮ極とし、中間磁石１６１ａを磁力線を引き込むＳ極とする。なおこれらの極性は反対でもよい。
【００７４】
以下、簡単に動作について説明する。
【００７５】
図５（ａ）に示すように、ソケット蓋部材１５０を取り外した状態で、ソケット本体１１０の載置面１１０ａにソーラーセルモジュールＳａを載置し（図５（ａ））、その後、ソケット蓋部材１５０をソケット本体１１０に装着する（図５（ｂ））。
【００７６】
このとき、引き合う可動磁石１６３ａと固定磁石６２ａとの隙間に、可動磁石１６３ａと反発する中間磁石１６１ａが差し込まれることとなり、これにより、押圧ブロック１３０に取り付けられている可動磁石１６３ａは、ソーラーセルモジュールＳａをモジュール当接部位側に押圧する付勢力を発生する。
【００７７】
同様に、押圧ブロック１４０に取り付けられている可動磁石（図示せず）も、ソーラーセルモジュールＳａをモジュール当接部位側に押圧する付勢力を発生する。
【００７８】
これによりソーラーセルモジュールＳａは、そのテスト端子Ｐａが、ソケット本体１１０のコンタクト端子１１０ｄ上に位置するよう位置決めされる。また、このとき、ソケット蓋部材１５０の当接部１５０ｄは、ソーラーセルモジュールＳａの頂点Ａから２方向に伸びる側辺部の上面を押さえつけることとなり、テスト端子Ｐａとソケット本体１１０のコンタクト端子１１０ｄとの電気的な接続がなされる。
【００７９】
これによりソーラーセルモジュールＳａは、テストソケット１００ａを介してテスト装置（図示せず）と電気的に接続されることとなり、そのテストが可能となる。
【００８０】
なお、上記ソーラーセルモジュールＳａとは、機種が異なりサイズが小さいソーラーセルモジュールＳｂを上記テストソケット１００ａに装着する場合も、上記サイズの大きいソーラーセルモジュールＳａを装着する場合と同様にソーラーセルモジュールとテストソケットとの電気的接続をとることができる。
【００８１】
このように本実施形態２においても、上記実施形態１と同様に形状、形状、大きさの異なるソーラーセルモジュールのテストソケットを一つのソケットでまかなうことが可能となり、ソケットの設計、作製時間、作製コストを削減することができる効果がある。
【００８２】
また、この実施形態２では、付勢手段を磁石により構成しているので、付勢手段の構成を簡略化することが可能となる。
【００８３】
（実施形態３）
図６は、本発明の実施形態３によるテストソケットを模式的に説明する図であり、このテストソケットにおける位置決め機構のソケット蓋部材の装着前の状態（図６（ａ））、位置きめ機構のソケット蓋部材の装着後の状態（図６（ｂ））を示している。
【００８４】
この実施形態３のテストソケット１００ｂは、上記実施形態１のテストソケット１００とは、実施形態１の位置決め機構における付勢手段が異なっている。
【００８５】
つまり、この実施形態３のテストソケット１００ｂでは、図１に示す押圧ブロック１３０および１４０をモジュール当接部位Ｃに向けて付勢する付勢手段は、第１の押圧ブロック１３０を押圧する第１の方向Ｘに沿った第１の付勢力を空気圧により発生する第１の空気圧発生機構１６０ｂと、第２の押圧ブロック１４０を押圧する第２の方向Ｙに沿った第２の付勢力を空気圧により発生する第２の空気圧発生機構（図示せず）とを有している。
【００８６】
ここで、該第１および該第２の空気圧発生機構は、該ソケット蓋部材が該ソケット本体に装着されたとき、該第１および第２の付勢力を空気圧により発生して、該ソーラーセルモジュールを、その特定の角部Ｃが前記モジュール当接部位１１０ｃ（図１〜図３参照）に当接するよう位置決めするよう構成されている。
【００８７】
具体的には、第１の空気圧発生機構１６０ｂは、上記押圧ブロック１３０に取付られた可動ロッド１６４ｂと、該可動ロッド１６４ｂを衝撃吸収ばね１６５ｂを介して押圧するシリンダ機構１６３ｂと、該シリンダ機構１６３ｂに圧縮空気を供給する空気貯留タンク１６１ｂと、ソケット蓋部材１５０ｂをソケット本体に装着したとき、該シリンダ機構１６３ｂに空気貯留タンク１６１ｂからの圧縮空気により供給する弁機構１６２ｂとを有している。なお、第２の空気圧発生機構（図示せず）は、第１の空気圧発生機構１６０ｂと同一の構成となっている。また、空気貯留タンク１６１ｂには、テストソケットの外部のコンプレッサ（図示せず）から圧縮空気が供給されるようになっている。
【００８８】
以下、簡単に動作について説明する。
【００８９】
図６（ａ）に示すように、ソケット蓋部材１５０ｂを取り外した状態で、ソケット本体１１０の載置面１１０ａにソーラーセルモジュールＳａを載置し（図６（ａ））、その後、ソケット蓋部材１５０ｂをソケット本体１１０に装着する（図６（ｂ））。
【００９０】
弁機構１６２ｂは、ソケット蓋部材１５０ｂがソケット本体に装着されたとき、ソケット蓋部材１５０ｂから押圧力を受け、この押圧力により上記シリンダ機構１６３ｂに空気貯留タンク１６１ｂから圧縮空気が送り込まれるように空気流路を開放する。
【００９１】
これによりシリンダ機構１６３ｂは、ばね部材１６５を介して、押圧ブロック１３０に取付られた可動ロッド１６４ｂを、ソーラーセルモジュールＳａをモジュール当接部位側に押圧するよう移動させる。
【００９２】
同様に、押圧ブロック１４０に取り付けられている可動ロッド（図示せず）も、第２の空気圧発生機構により、ソーラーセルモジュールＳａをモジュール当接部位側に移動させられる。
【００９３】
これによりソーラーセルモジュールＳａは、そのテスト端子Ｐａが、ソケット本体１１０のコンタクト端子１１０ｄ上に位置するよう位置決めされる。また、このとき、ソケット蓋部材１５０の当接部１５０ｄは、ソーラーセルモジュールＳａの頂点Ａから２方向に伸びる側辺部の上面を押さえつけることとなり、テスト端子Ｐａとソケット本体１１０のコンタクト端子１１０ｄとの電気的な接続がなされる。
【００９４】
これによりソーラーセルモジュールＳａは、テストソケット１００ａを介してテスト装置（図示せず）と電気的に接続されることとなり、そのテストが可能となる。
【００９５】
なお、上記ソーラーセルモジュールＳａとは、機種が異なりサイズが小さいソーラーセルモジュールＳｂを上記テストソケット１００ｂに装着する場合も、上記サイズの大きいソーラーセルモジュールＳａを装着する場合と同様にソーラーセルモジュールとテストソケットとの電気的接続をとることができる。
【００９６】
このように本実施形態３においても、上記実施形態１と同様に、形状、大きさの異なるソーラーセルモジュールのテストソケットを一つのソケットでまかなうことが可能となり、ソケットの設計、作製時間、作製コストを削減することができる効果がある。
【００９７】
また、この実施形態３では、付勢手段を、押圧ブロックを押圧する付勢力を空気圧により発生するよう構成しているので、ソーラーセルモジュールを位置決めするときの押圧力を簡単に調整することが可能となり、ソーラーセルモジュールの強度を考慮してその位置決めを行うことが可能となる。
【００９８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９９】
本発明は、テストソケットの分野において、半導体モジュールをテストするためのテストソケットとして、機種に対応してサイズが異なる半導体モジュールを装着可能とするものであり、機種に対応してサイズの異なる半導体モジュールの検査に有用なものである。
【符号の説明】
【０１００】
１００、１００ａ、１００ｂ  テストソケット
１１０  ソケット本体（台座部）
１１０ａ  載置面
１１０ｂ  凹状部
１１０ｃ  モジュール当接部位
１１０ｄ  コンタクト端子
１３０、１４０  押圧ブロック
１５０  ソケット蓋部材
１５０ａ、１５０ｂ、１５０ｃ  当接部
１６０、１７０  第１のばね装置
１６０ｂ  第１の空気圧発生機構
１６１  ばね支持具
１６１ａ  中間磁石
１６１ｂ  空気貯留タンク
１６２  可動支点
１６２ａ  固定磁石
１６３  可動磁石
１６３ａ  固定ピン
１６３ｂ  シリンダ機構
１６４、１６５  ばね片
１６４ａ  係止片
１６４ｂ  可動ロッド
１６５ｂ  衝撃吸収ばね
１６６  中間ばね片
１６７  付勢ばね
Ｃ  特定の角部
Ｐａ  テスト端子
Ｓａ、Ｓｂ  ソーラーセルモジュール
【図１】
2012122774.tif 000003
【図３】
2012122774.tif 000004
【図４】
2012122774.tif 000005
【図５】
2012122774.tif 000006
【図６】
2012122774.tif 000007
【図２】
2012122774.tif 000008
【図７】
2012122774.tif 000009